(57)【要約】【課題】より見易いように液晶モニタを自動で回動させることができ、且つ簡易な構造のカメラを提供する。【解決手段】カメラ本体１に撮像画像を表示する表示部２を回動可能に備えるカメラ１００において、表示部２の第１の回動軸３０を挟んで少なくとも二つ以上設けられ、撮像者に向かって発光する発光部２２と撮像者が装着するメガネに設けられた反射鏡からの反射光を受光する受光部２３とからなる一対のセンサ部２１と、を備え、受光部２３は２以上の区画２３Ａから構成されており、ＣＰＵ１５に、受光部２３受光する反射光の各区画２３Ａ間の相対的な強度と記憶部１７の基準強度データ１７Ａに記憶されている反射光の各区画２３Ａ間の相対的な強度とが同じか否かを判断させ、異なる場合には同じになるように、表示部２を回動させる回動制御プログラム１７Ｂと、を備えた。【選択図】図４
2006303824.tif 000002
【特許請求の範囲】
【請求項１】
カメラ本体に回動可能に備えられ、撮像画像を表示する表示部を備えるカメラにおいて、
前記表示部の回動軸を挟んで少なくとも二つ以上設けられ、撮像者に向かって発光する発光部と前記撮像者が装着するメガネのブリッジに設けられた反射鏡からの反射光を受光する受光部とからなる一対のセンサ部と、を備え、
前記受光部は２以上の区画から構成されており、
前記受光部が受光する前記反射光の各区画間の相対的な強度を記憶する記憶手段と、
前記受光部が受光する前記反射光の各区画間の相対的な強度と前記記憶手段に記憶されている前記反射光の各区画間の相対的な強度とが同じか否かを判断し、異なる場合には同じになるように、前記表示部を回動させる回動制御手段と、
を備えることを特徴とするカメラ。
【請求項２】
カメラ本体に回動可能に備えられ、撮像画像を表示する表示部を備えるカメラにおいて、
前記表示部の回動軸を挟んで少なくとも二つ以上設けられ、撮像者に向かって発光する発光部と前記撮像者から反射される反射光を受光する受光部とからなる一対のセンサ部と、
前記受光部が受光する前記反射光の相対的な強度を記憶する記憶手段と、
前記受光部が受光する前記反射光の相対的な強度と前記記憶手段に記憶されている前記反射光の相対的な強度とが同じか否かを判断し、異なる場合には同じになるように前記表示部を回動させる回動制御手段と、
を備えることを特徴とするカメラ。
【請求項３】
前記受光部は２以上の区画から構成されており、
前記記憶手段は、前記受光部が受光する前記反射光の各区画間の相対的な強度を記憶し、
前記回動制御手段は、前記受光部が受光する前記反射光の各区画間の相対的な強度と前記記憶手段に記憶されている前記反射光の各区画間の相対的な強度とが同じになるように、前記表示部を回動させることを特徴とする請求項２に記載のカメラ。
【請求項４】
前記受光部は、前記撮像者が装着するメガネのブリッジに設けられた反射鏡からの反射光を受光することを特徴とする請求項２又は３に記載のカメラ。
【発明の詳細な説明】
【技術分野】
【０００１】
本発明は、カメラに関する。
【背景技術】
【０００２】
従来、ビデオカメラに液晶モニタを回動可能に設けるとともに角度センサ及び加速度センサを設けて当該ビデオカメラの動きを検知して、このビデオカメラの動きに対応して、液晶モニタを自動で回動させて、液晶モニタを見易くするものが知られている（例えば、特許文献１）。
【０００３】
また、テレビカメラに、当該テレビカメラの動きを検知するセンサを設け、当該センサによって検知されたテレビカメラの動きに対応して、ビューファインダを自動で回動させて、カメラマンがビューファインダを見易いようにしたものも知られている（例えば、特許文献２）。
【０００４】
さらに、テレビカメラのビューファインダにカメラマンの顔面を撮像するセンサと、撮像したカメラマンの顔面を表示する液晶モニタを設け、テレビカメラの動きに伴うカメラマンの顔面の動きを液晶モニタに表示される肌色部分の動きから検知し、当該カメラマンの顔面の動きを打ち消すように、ビューファインダを自動で回動させて、カメラマンがビューファインダを見易いようにしたものも知られている（特許文献３）。
【特許文献１】特開２００１−２７５０１９号公報
【特許文献２】特開２００２−２７１６５６号公報
【特許文献３】特開２０００−３０７９０３号公報
【発明の開示】
【発明が解決しようとする課題】
【０００５】
しかしながら、特許文献１に記載のビデオカメラにおいては、ビデオカメラ自体の動きを検知しており、撮像者の動きを検知しているわけではないので、ビデオカメラ自体の動きに対応して液晶モニタを回動させても、必ずしも撮像者にとって液晶モニタが見易くならない場合もある。同様の問題は、特許文献２に記載のテレビカメラにおいても生じ得る。これに対して、特許文献３に記載のテレビカメラでは、実際にカメラマンの顔面の動きを検知しているので、カメラマンの視線に追随してビューファインダが回動することとなって、ビューファインダをより好適にカメラマンにとって見易いように回動させることができるものの、ビューファインダにさらにカメラマンを撮像するセンサを設ける必要があるので、コストがかかるという問題がある。
【０００６】
本発明の課題は、より見易いように液晶モニタを自動で回動させることができ、且つ簡易な構造のカメラを提供することである。
【課題を解決するための手段】
【０００７】
請求項１に記載の発明は、カメラ本体に回動可能に備えられ、撮像画像を表示する表示部を備えるカメラにおいて、
前記表示部の回動軸を挟んで少なくとも二つ以上設けられ、撮像者に向かって発光する発光部と前記撮像者が装着するメガネのブリッジに設けられた反射鏡からの反射光を受光する受光部とからなる一対のセンサ部と、を備え、
前記受光部は２以上の区画から構成されており、
前記受光部が受光する前記反射光の各区画間の相対的な強度を記憶する記憶手段と、
前記受光部が受光する前記反射光の各区画間の相対的な強度と前記記憶手段に記憶され
ている前記反射光の各区画間の相対的な強度とが同じか否かを判断し、異なる場合には同じになるように、前記表示部を回動させる回動制御手段と、を備えることを特徴としている。
【０００８】
請求項２に記載の発明は、カメラ本体に回動可能に備えられ、撮像画像を表示する表示部を備えるカメラにおいて、
前記表示部の回動軸を挟んで少なくとも二つ以上設けられ、撮像者に向かって発光する発光部と前記撮像者から反射される反射光を受光する受光部とからなる一対のセンサ部と、
前記受光部が受光する前記反射光の相対的な強度を記憶する記憶手段と、
前記受光部が受光する前記反射光の相対的な強度と前記記憶手段に記憶されている前記反射光の相対的な強度とが同じか否かを判断し、異なる場合には同じになるように前記表示部を回動させる回動制御手段と、
を備えることを特徴としている。
【０００９】
請求項３に記載の発明は、請求項２に記載のカメラにおいて、
前記受光部は２以上の区画から構成されており、
前記記憶手段は、前記受光部が受光する前記反射光の各区画間の相対的な強度を記憶し、
前記回動制御手段は、前記受光部が受光する前記反射光の各区画間の相対的な強度と前記記憶手段に記憶されている前記反射光の各区画間の相対的な強度とが同じになるように、前記表示部を回動させることを特徴としている。
【００１０】
請求項４に記載の発明は、請求項２又は３に記載のカメラにおいて、
前記受光部は、前記撮像者が装着するメガネのブリッジに設けられた反射鏡からの反射光を受光することを特徴としている。
【発明の効果】
【００１１】
請求項１に記載の発明によれば、表示部の回動軸を挟んで少なくとも二つ以上設けられ、撮像者に向かって発光する発光部と撮像者が装着するメガネのブリッジに設けられた反射鏡からの反射光を受光する受光部とからなる一対のセンサ部と、を備え、受光部は２以上の区画から構成されており、記憶手段により、受光部が受光する反射光の各区画間の相対的な強度が記憶され、回動制御手段により、受光部が受光する反射光の各区画間の相対的な強度と記憶手段に記憶されている反射光の各区画間の相対的な強度とが同じか否かが判断され、異なる場合には同じになるように、表示部が回動されるので、表示部が撮像者の方に向くように回動されることとなって、撮像者にとってより見易いように表示部を自動で回動させることができる。
【００１２】
また、撮像者を検出するセンサを発光部と受光部とからなる一対のセンサ部により構成するので、カメラの構造を簡易なものとすることができ、コストを抑えることができる。
【００１３】
また、受光部が２以上の区画から構成されるので、受光部の感度をより高感度なものとすることができ、表示部をより正確に回動させることができる。
【００１４】
また、受光部は、撮像者が装着するメガネのブリッジに設けられた反射鏡からの反射光を受光するので、受光部は、さらに感度良く反射光を検出することができることとなって、表示部をより好適に回動させることができる。
【００１５】
請求項２に記載の発明によれば、記憶手段により、受光部が受光する反射光の相対的な強度が記憶され、回動制御手段により、受光部が受光する反射光の相対的な強度と記憶手段に記憶されている反射光の相対的な強度とが同じか否かが判断され、異なる場合には同じになるように表示部が回動されるので、表示部が撮像者の方に向くように回動されることとなって、撮像者にとってより見易いように表示部を自動で回動させることができる。
【００１６】
また、撮像者を検出するセンサを発光部と受光部とからなる一対のセンサ部により構成するので、カメラの構造を簡易なものとすることができ、コストを抑えることができる。
【００１７】
請求項３に記載の発明によれば、請求項２に記載の発明と同様の効果が得られるのは勿論のこと、特に、受光部が２以上の区画から構成されており、記憶手段により、受光部が受光する反射光の各区画間の相対的な強度が記憶され、回動制御手段により、受光部が受光する反射光の各区画間の相対的な強度と記憶手段に記憶されている反射光の各区画間の相対的な強度とが同じになるように、表示部を回動させるので、受光部の感度をより高感度なものとすることができ、表示部をより正確に回動させることができる。
【００１８】
請求項４に記載の発明は、請求項２又は３に記載の発明と同様の効果が得られるのは勿論のこと、特に、受光部は、撮像者が装着するメガネのブリッジに設けられた反射鏡からの反射光を受光するので、受光部は、さらに感度良く反射光を検出することができることとなって、表示部をより好適に回動させることができる。
【発明を実施するための最良の形態】
【００１９】
以下、図を参照して、本発明に係るカメラ１００を実施するための最良の形態を詳細に説明する。
【００２０】
まず、本発明に係るカメラ１００の構成について説明する。本発明に係るカメラ１００は、図１に示すように、表示部２を収納するための凹部１０を備えるカメラ本体１，カメラ本体１に回動可能に取り付けられる表示部２，カメラ本体１と表示部２とを連結する連結部３等を備えて構成される。
【００２１】
表示部２は、例えば、表示部２の外形形状より小さい矩形の表示パネル部２０を備えている。また、表示部２は、連結部３と第１の回動軸３０を介して連結されている。そして、表示部２は、例えば、表示部２の第１の回動軸３０を挟んで少なくとも二つ以上設けられ、発光部２２と受光部２３とからなる１対のセンサ部２１等を備えて構成される。
【００２２】
表示パネル部２０は、例えば、ＬＣＤ（Liquid  Crystal  Dysplay）パネル等からなり、カメラ１００が撮像する撮像画像や、該カメラ１００の動作状況を表示する。
【００２３】
発光部２２は、例えば、撮像者に向かって発光する発光ダイオードなどを備え、受光部２３は、発光部２２により発光された光が撮像者の目に当たって反射された反射光を受光する。
【００２４】
また、受光部２３は、例えば、図２（ｂ）及び（ｄ）に示すように、四分割された区画２３Ａ，・・・から構成されている。そして、反射光の角度によって、受光部２３が受光する反射光の各区画２３Ａ間の相対的な強度が異なるように構成されている。
【００２５】
より具体的には、例えば、図２（ａ）に示すように、発光部２２から発光された光が撮像者の目Ｅから反射されて受光部２３が受光する反射光の角度がＡ１及びＢ１である場合には、図２（ｂ）に示すように、表示パネル部２０の上側の受光部２３では、該受光部２３が受光する反射光の強度は、上から２番目の区画２３Ａにおいて一番強くなっており、表示パネル部２０の下側の受光部２３では、該受光部２３が受光する反射光の強度は、下から２番目の区画２３Ａにおいて一番強くなっている。
【００２６】
これに対し、図２（ｃ）に示すように、受光部２３が受光する反射光の角度がＡ２及びＢ２であり、それぞれ図２（ａ）に示す角度Ａ１及びＢ１と異なる場合には、図２（ｄ）に示すように、表示パネル部２０の上側の受光部２３では、該受光部２３が受光する反射光の強度は、上から１番目の区画２３Ａにおいて一番強くなっており、表示パネル部２０の下側の受光部２３では、該受光部２３が受光する反射光の強度は、下から３番目の区画
２３Ａにおいて一番強くなっている。
【００２７】
連結部３は、その内部に、表示部２と連結される第１の回動軸３０と、カメラ本体１の内部に設けられるモータ１１の軸部１１Ａ（後述）に連結される第２の回動軸３１と、第１の回動軸３０と第２の回動軸３１の回動を同期させるベルト３２等を備えて構成される。
【００２８】
また、連結部３は、図３に示すように、第２の回動軸３１を中心として、カメラ本体１に対して略９０度まで手動で回動することができ、その状態でモータ１１が駆動されることにより、表示部２は、第１の回動軸３０を中心として、回動できるようになっている（図３（ｃ），（ｄ））。
【００２９】
そして、このような連結部３を備えることにより、表示部２をカメラ１００に対して以下のように動作させることが可能となる。
【００３０】
まず、カメラ１００を使用しない時には、図３（ａ）に示すように、表示パネル部２０がカメラ本体１側を向くように表示部２を回動し、連結部３とカメラ本体１との角度をなくすようにして、表示部２をカメラ本体１の凹部１０に収納する。このようにすると、表示部２の表示パネル部２０が外部からの衝撃等から保護される。また、凹部１０に表示部２及び連結部３が収納されると、カメラ１００全体の形状が略直方体状となる。
【００３１】
そして、カメラ１００を使用する場合には、図３（ｂ）に示すように、表示パネル部２０がカメラ本体１側の反対側，即ち撮像者の方に向くように表示部２を回動し、連結部３とカメラ本体１とが平行となるようにして、表示部２をカメラ本体１の凹部１０に収納して使用する。
【００３２】
また、表示部２を撮像者の動きに合わせて回動させてカメラ１００を使用する場合には、図３（ｃ），（ｄ）に示すように、連結部３とカメラ本体１との角度を略９０度となるように手動で回動させた後、モータ１１を駆動させて、表示部２を自動で回動させる。
【００３３】
具体的には、例えば、カメラ１００を撮像者の目線よりも高い位置で使用する場合には（図３（ｃ））、表示パネル部２０が下側を向くように、表示部２を回動させる。また、カメラ１００を撮像者の目線よりも低い位置で使用する場合には（図３（ｄ））、表示パネル部２０が上側を向くように、表示部２を回動させる。
【００３４】
カメラ本体１は、例えば、図１及び図４に示すように、表示部２を回動させるモータ１１，モータ１１を駆動するモータ駆動部１２，初期状態確定スイッチ１３，カメラ１００全体を制御するための制御部１４，終了スイッチ１８等を備えて構成される。
【００３５】
モータ１１は、例えば、図１に示すように、該モータ１１により回転する軸部１１Ａを備え、該軸部１１Ａは、連結部３内部へと延出し、連結部３内部の第２の回動軸３１と連結されている。また、モータ１１は、該モータ１１を駆動するモータ駆動部１２と接続されている。そして、モータ１１がモータ駆動部１２により駆動されると、軸部１１Ａが回転し、該軸部１１Ａの回転に伴って、第２の回動軸３１が回動し、該第２の回動軸３１の回動がベルト３２を介して第１の回動軸３０に伝わって第１の回動軸３０が回動し、第１の回動軸３０の回動に伴って、表示部２が回動するように構成されている。
【００３６】
また、例えば、モータ駆動部１２に電圧を与えモータ１１に負荷を加えることにより、表示部２が回動して停止した位置で保持されるようになっている。これにより、表示部２の回動において、フリーストップ機能が実現される。
【００３７】
また、フリーストップ機能は、例えば、モータ１１の軸部１１Ａに、粘性の高い物質の
中に入れられた歯車からなる回転式のダンパーをつなげることにより実現してもよい。
【００３８】
初期状態確定スイッチ１３は、表示部２の受光部２３が受光する反射光の各区画２３Ａ間の相対的な強度を後述する基準強度データ１７Ａに記憶させるためのスイッチであり、該初期状態確定スイッチ１３が押下されると、その時点での受光部２３が受光する反射光の各区画２３Ａ間の相対的な強度が基準強度データ１７Ａに格納されるようになっている。
【００３９】
制御部１４は、図４に示すように、ＣＰＵ１５，ＲＡＭ１６，記憶部１７等を備えて構成される。
【００４０】
ＣＰＵ１５は、記憶部１７に格納された処理プログラム等を読み出して、ＲＡＭ１６に展開して実行することにより、カメラ１００全体の制御を行う。より具体的には、ＣＰＵ１５は、発光部２２，受光部２３，モータ駆動部１２，初期状態確定スイッチ１３，ＲＡＭ１６，記憶部１７等と接続されており、発光部２２を制御して撮像者に向かって発光させ、撮像者からの反射光を受光する受光部２３からの信号を受けて、モータ駆動部１２を制御してモータ１１を回動させることにより、カメラ１００全体の制御を行う。
【００４１】
ＲＡＭ１６は、ＣＰＵ１５により実行された処理プログラム等を、ＲＡＭ１６内のプログラム格納領域に展開するとともに、入力データや上記処理プログラムが実行される際に生じる処理結果等をワークエリアに格納する。
【００４２】
記憶部１７は、例えば、プログラムやデータ等が予め記憶されている記録媒体（図示せず）を有しており、この記録媒体は、半導体メモリ等で構成されている。また、記憶部１７は、ＣＰＵ１５がカメラ１００全体を制御する機能を実現させるための各種データ，各種処理プログラム，これらプログラムの実行により処理されたデータ等を記憶する。より具体的には、記憶部１７は、例えば、図４に示すように、基準強度データ１７Ａ，回動制御プログラム１７Ｂ等を格納している。
【００４３】
基準強度データ１７Ａは、例えば、初期状態確定スイッチ１３が押下された時点での受光部２３が受光する反射光の相対的な強度を記憶する。より具体的には、基準強度データ１７Ａは、初期状態確定スイッチ１３が押下された時点での受光部２３が受光する反射光の各区画２３Ａ間の相対的な強度を記憶している。記憶部１７は、基準強度データ１７Ａを格納することにより、記憶手段として機能する。
【００４４】
回動制御プログラム１７Ｂは、例えば、ＣＰＵ１５に、受光部２３が受光する反射光の相対的な強度が基準強度データ１７Ａに記憶されている反射光の相対的な強度と同じか否かを判断させ、モータ駆動部１２を制御して、モータ１１を駆動させることにより、表示部２を回動させる機能を実現させるプログラムである。より具体的には、ＣＰＵ１５に、受光部２３が受光する反射光の各区画２３Ａ間の相対的な強度が基準強度データ１７Ａに記憶されている反射光の各区画２３Ａ間の相対的な強度と同じか否かを判断させ、異なる場合には同じになるように、表示部２を回動させる機能を実現させるプログラムである。
【００４５】
例えば、図２（ａ）に示すように、発光部２２から発光された光が撮像者の目Ｅから反射されて受光部２３が受光する反射光の角度がＡ１及びＢ１であるときに、初期状態確定スイッチ１３が押下されると、図２（ｂ）に示す、反射光の各区画２３Ａ間の相対的な強度が基準強度データ１７Ａに記憶される。そして、図２（ｃ）に示すように、カメラ１００が動かされて、受光部２３が受光する反射光の角度がＡ２及びＢ２となると、図２（ｄ）に示すように、反射光の各区画２３Ａ間の相対的な強度は、図２（ｂ）に示す反射光の各区画２３Ａ間の相対的な強度と異なることとなる。そこで、ＣＰＵ１５は、回動制御プログラム＊＊を実行することにより、受光部２３が受光する反射光の各区画２３Ａ間の相
対的な強度が図２（ｂ）に示す反射光の各区画２３Ａ間の相対的な強度と同じになるように、表示部２を回動させる制御を行う。ＣＰＵ１５は、かかる回動制御プログラム１７Ｂを実行することにより、回動制御手段として機能する。
【００４６】
終了スイッチ１８は、例えば、カメラ１００の動作を終了させるためのスイッチである。そして、終了スイッチが押下されると、例えば、表示部２の回動制御処理が終了されるようになっている。
【００４７】
次に、上述のような構成の本発明に係るカメラ１００の動作について、図５に示すフローチャートを参照しながら説明する。
【００４８】
まず、撮像者によって、初期状態確定スイッチ１３が押下されると（ステップＳ１）、受光部２３の受光する反射光の各区画２３Ａ間の相対的な強度が基準強度データ１７Ａに記憶される（ステップＳ２）。
【００４９】
次いで、ＣＰＵ１５は、終了ボタン１８が押下されたか否かを判断し（ステップＳ３）、終了ボタン１８が押下されていないと判断した場合（ステップＳ３；Ｎｏ）には、ステップＳ４に移行するが、終了ボタンが押下されたと判断した場合（ステップＳ３；Ｙｅｓ）には、本処理を終了する。
【００５０】
ステップＳ３において、ＣＰＵ１５が終了ボタン１８が押下されていないと判断した場合には（ステップＳ３；Ｎｏ）、ＣＰＵ１５は、回動制御プログラム１７Ｂを実行することにより、受光部２３が受光する反射光の各区画２３Ａ間の相対的な強度が基準強度データ１７Ａに記憶されている反射光の各区画２３Ａ間の相対的な強度と同じか否かを判断する（ステップＳ４）。
【００５１】
ステップＳ４において、ＣＰＵ１５が、受光部２３が受光する反射光の各区画２３Ａ間の相対的な強度が基準強度データ１７Ａに記憶されている反射光の各区画２３Ａ間の相対的な強度と同じであると判断した場合には（ステップＳ４；Ｙｅｓ）、ステップＳ３に戻る。
【００５２】
ステップＳ４において、ＣＰＵ１５が、受光部２３が受光する反射光の各区画２３Ａ間の相対的な強度が基準強度データ１７Ａに記憶されている反射光の各区画２３Ａ間の相対的な強度と異なると判断した場合には（ステップＳ４；Ｎｏ）、ＣＰＵ１５は、回動制御プログラム１７Ｂを実行することにより、受光部２３が受光する反射光の各区画２３Ａ間の相対的な強度が基準強度データ１７Ａに記憶されている反射光の各区画２３Ａ間の相対的な強度と同じになるように、表示部２を回動させ、ステップＳ３に戻る（ステップＳ５）。
【００５３】
なお、本発明において、受光部２３が受光する反射光の絶対的な強度ではなく、受光部２３が受光する反射光の相対的な強度を基準として、撮像者の目Ｅの動きを検出することとしたのは、受光部２３が受光する反射光の絶対的な強度を基準として、撮像者の目Ｅの動きを検出することとすると、例えば、受光部２３が撮像者の目Ｅから反射される反射光の角度が同じであっても、撮像者とカメラ１００との距離が異なると、受光部２３が受光する反射光の強度が異なることとなって、撮像者の目Ｅの動きを誤って検出してしまうこととなるためである。
【００５４】
以上に説明した、上記実施形態に係るカメラ１００によれば、表示部２の第１の回動軸３０を挟んで少なくとも二つ以上設けられ、撮像者に向かって発光する発光部２２と撮像者からの反射光を受光する受光部２３とからなる一対のセンサ部２１と、を備え、受光部２３は２以上の区画２３Ａから構成されており、基準強度データ１７Ａに、受光部２３が受光する反射光の各区画２３Ａ間の相対的な強度が記憶され、ＣＰＵ１５が回動制御プロ
グラム１７Ｂを実行することにより、受光部２３が受光する反射光の各区画２３Ａ間の相対的な強度と基準強度データ１７Ａに記憶されている反射光の各区画２３Ａ間の相対的な強度とが同じか否かが判断され、異なる場合には同じになるように、表示部２が回動されるので、表示部２が撮像者の方に向くように回動されることとなって、撮像者にとってより見易いように表示部２を自動で回動させることができる。
【００５５】
また、撮像者を検出するセンサを発光部２２と受光部２３とからなる一対のセンサ部２１により構成するので、カメラ１００の構造を簡易なものとすることができ、コストを抑えることができる。
【００５６】
また、受光部２３が２以上の区画２３Ａから構成されるので、受光部２３の感度をより高感度なものとすることができ、表示部２をより正確に回動させることができる。
【００５７】
なお、上記実施形態に係るカメラ１００では、受光部２３が撮像者が装着するメガネ４のブリッジ４０に設けられた反射鏡４１からの反射光を受光するようにしてもよい。
【００５８】
メガネ４は、例えば、図６に示すように、該メガネ４のブリッジ４０に反射鏡４１を備えて構成される。そして、発光部２２から発光された光は、反射鏡４１に反射され、受光部２３は、該反射鏡４１に反射された反射光を受光するようになっている。
【００５９】
このようにすることにより、受光部２３は、撮像者が装着するメガネ４のブリッジ４０に設けられた反射鏡４１からの反射光を受光するので、受光部２３は、さらに感度良く反射光を検出することができることとなって、表示部２をより好適に回動させることができる。
【図面の簡単な説明】
【００６０】
【図１】本発明に係るカメラの側面図（ａ）及び背面図（ｂ）である。
【図２】本発明に係る受光部が撮像者の目から反射される反射光を受光する様子を示す図（ａ）及び（ｃ）と、本発明に係る受光部の各区画における反射光の強度を示す図（ｂ）及び（ｄ）である。
【図３】本発明に係る連結部及び表示部の回動する様子を示す図（ａ）〜（ｄ）である。
【図４】本発明に係るカメラの構成を示すブロック図である。
【図５】本発明に係るカメラの動作を説明するフローチャートである。
【図６】本発明に係るメガネを示す図である。
【符号の説明】
【００６１】
１００  カメラ
１  カメラ本体
２  表示部
３０  第１の回動軸（回動軸）
２１  センサ部
２２  発光部
２３  受光部
２３Ａ  区画
１５  ＣＰＵ（回動制御手段）
１７  記憶部（記憶手段）
１７Ａ  基準強度データ（記憶手段）
１７Ｂ  回動制御プログラム（回動制御手段）
４  メガネ
４０  ブリッジ
４１  反射鏡
【図１】
2006303824.tif 000003
【図２】
2006303824.tif 000004
【図３】
2006303824.tif 000005
【図４】
2006303824.tif 000006
【図５】
2006303824.tif 000007
【図６】
2006303824.tif 000008